(57)【要約】【課題】本発明は、シリンジユニットとそれを装着する薬剤注入装置に関するもので、落下等による製剤シリンジの損傷を防止することを目的とするものである。【解決手段】そして、この目的を達成するために、本発明は、ホルダ１０内に製剤シリンジ２１を挿入した状態で、このホルダ１０のホルダ後端側開口部１７から、このホルダ１０内にストッパー２２を挿入する。そして、このストッパー２２により、ホルダ１０内から製剤シリンジ２１が落下するのを防止すると共に、この製剤シリンジ２１の後端側も支持した状態とする。つまり、製剤シリンジ２１は、ホルダ１０内において、先端側と後端側の２箇所において、緩やかに保持された状態となるので、落下等により製剤シリンジ２１が損傷するのを防止することができる。【選択図】図５
2015226555.tif 000002
【特許請求の範囲】
【請求項１】
先端側に注射針装着部側のホルダ先端側開口部、後端側にピストン挿入側のホルダ後端側開口部を有する筒状のホルダと、
このホルダ内に収納されると共に、その先端側には、前記ホルダ先端側開口部の内方に設けた先端側当接部に当接される位置決部、後端側には、ピストンが挿入されるシリンジ開口部を有する製剤シリンジと、
前記ホルダのホルダ後端側開口部内方に装着されたストッパーとを、備え、
前記ストッパーは、前記製剤シリンジのシリンジ開口部に対応する部分に、ピストン挿入開口部を有し、
このピストン挿入開口部の外周縁には、前記ホルダのホルダ後端側開口部内に、挿入される係合爪を設け、
この係合爪の外周方向に対応する前記ホルダ部分には、この係合爪が係合する係合開口部を設けたシリンジユニット。
【請求項２】
前記ホルダ内において、製剤シリンジの先端側は、位置決部において、ホルダ先端部側に、この製剤シリンジの先端側外周面の少なくとも一部において、ホルダの内周面との間に隙間を介して保持された構造とし、
前記製剤シリンジの後端側外周面の少なくとも一部において、ストッパーの内周面との間に隙間を介して保持された構造とした請求項１に記載のシリンジユニット。
【請求項３】
前記ストッパーのピストン挿入開口部は、前記製剤シリンジのシリンジ開口部と同等もしくは小径とした請求項１または２に記載のシリンジユニット。
【請求項４】
前記ストッパーのピストン挿入開口部は、テーパ形状もしくはＲ形状を有する請求項１から３のいずれか一つに記載のシリンジユニット。
【請求項５】
前記ストッパーを合成樹脂で形成すると共に、このストッパーは、前記ピストンよりも軟質である請求項３または４に記載のシリンジユニット。
【請求項６】
前記ストッパーのピストン挿入開口部の外周縁には、複数の係合爪を所定間隔で設けた請求項１から５のいずれか一つに記載のシリンジユニット。
【請求項７】
前記係合爪間には、当接爪を設け、この当接爪の内周部分には、製剤シリンジの外周面に向けて突出する突起を設けた請求項６に記載のシリンジユニット。
【請求項８】
請求項１から７のいずれか一つに記載のシリンジユニットが装着される装着部と、
この装着部に装着させるシリンジユニットを構成するホルダのホルダ後端側開口部から、製剤シリンジのシリンジ開口部を介して、製剤シリンジ内に挿入されるピストンと、を備えた薬剤注入装置。
【発明の詳細な説明】
【技術分野】
【０００１】
本発明は、シリンジユニットとそれが装着される薬剤注入装置に関するものである。
【背景技術】
【０００２】
従来のこの種の薬剤注入装置の構成は、以下のようになっていた。
【０００３】
すなわち、製剤シリンジが挿入されるホルダと、このホルダを装着する装着部と、この装着部の装着されたホルダ内の製剤シリンジに対して、挿入されるピストンとを、備えた構成となっている。
つまり、市販の製剤シリンジをホルダ内に挿入し、次に、このホルダを装着部に装着した状態で、ピストンを駆動させ、これにより、製剤シリンジ内の製剤を製剤シリンジの先端側に設けた注射針から、人体等に注入する構成となっていた（例えば、下記特許文献１）。
【先行技術文献】
【特許文献】
【０００４】
【特許文献１】特開平１１−７６４０４号公報
【発明の概要】
【発明が解決しようとする課題】
【０００５】
上記従来例においては、ピストンを駆動させることで、製剤シリンジ内の製剤を自動的に人体等に注入することが出来るので、極めて利便性の高いものであった。
【０００６】
しかしながら、市販されている製剤シリンジは、例えば、ガラスで形成された円筒状となっており、これをホルダ内に挿入する作業時等において、誤って落下させると、この製剤シリンジが損傷してしまうという課題があった。
【０００７】
そこで、本発明は、落下等による製剤シリンジの損傷を防止することを目的とするものである。
【課題を解決するための手段】
【０００８】
そして、この目的を達成するために、本発明のシリンジユニットは、先端側に注射針装着部側のホルダ先端側開口部、後端側にピストン挿入側のホルダ後端側開口部を有する筒状のホルダと、このホルダ内に収納されると共に、その先端側には、前記ホルダ先端側開口部の内方に設けた先端側当接部に当接される位置決部、後端側には、ピストンが挿入されるシリンジ開口部を有する製剤シリンジと、前記ホルダのホルダ後端側開口部内方に装着されたストッパーとを、備え、前記ストッパーは、前記製剤シリンジのシリンジ開口部に対応する部分に、ピストン挿入開口部を有し、このピストン挿入開口部の外周縁には、前記ホルダのホルダ後端側開口部内に、挿入される係合爪を設け、この係合爪の外周方向に対応する前記ホルダ部分には、この係合爪が係合する係合開口部を設けた構成とし、これにより、所期の目的を達成するものである。
【発明の効果】
【０００９】
以上のように、本発明は、シリンジユニットは、先端側に注射針装着部側のホルダ先端側開口部、後端側にピストン挿入側のホルダ後端側開口部を有する筒状のホルダと、このホルダ内に収納されると共に、その先端側には、前記ホルダ先端側開口部の内方に設けた先端側当接部に当接される位置決部、後端側には、ピストンが挿入されるシリンジ開口部を有する製剤シリンジと、前記ホルダのホルダ後端側開口部内方に装着されたストッパーとを、備え、前記ストッパーは、前記製剤シリンジのシリンジ開口部に対応する部分に、ピストン挿入開口部を有し、このピストン挿入開口部の外周縁には、前記ホルダのホルダ後端側開口部内に、挿入される係合爪を設け、この係合爪の外周方向に対応する前記ホルダ部分には、この係合爪が係合する係合開口部を設けた構成としたので、落下等による製剤シリンジの損傷を防止することができる。
【００１０】
すなわち、本発明においては、製剤シリンジは、ホルダ内に装着された状態で、保管・携帯・薬剤注入装置への装着が行なわれるようになっている。
【００１１】
また、製剤シリンジの先端側は、ホルダ先端側開口部の内方に設けた先端側当接部に当接される位置決部、後端側には、ピストンが挿入されるシリンジ開口部を有する構成となっている。
【００１２】
さらに、ホルダ後端側開口部内方にはストッパーが装着され、このストッパーは、製剤シリンジのシリンジ開口部に対応する部分に、ピストン挿入開口部を有し、このピストン挿入開口部の外周縁には、ホルダのホルダ後端側開口部内に、挿入される係合爪を設け、この係合爪の外周方向に対応するホルダ部分には、この係合爪が係合する係合開口部を設けた構成となっている。
【００１３】
このため、製剤シリンジは、常時、ホルダ内に装着された状態となっており、この結果として、保管・携帯・薬剤注入装置への装着時等に、誤って、それを落下させたとしても、製剤シリンジの損傷を防止することができるのである。
【図面の簡単な説明】
【００１４】
【図１】本発明の薬剤注入装置の実施の形態１を示す斜視図
【図２】同、薬剤注入装置の分解斜視図
【図３】同、薬剤注入装置の動作状態を示すための断面図
【図４】同、薬剤注入装置に装着されるシリンジユニットの斜視図
【図５】同、シリンジユニットの分解斜視図
【図６】同、シリンジユニットの分解斜視図
【図７】同、シリンジユニットの断面図
【図８】同、シリンジユニットを構成するストッパーの斜視図
【図９】同、ストッパーの断面図
【図１０】同、ストッパーの正面図
【発明を実施するための形態】
【００１５】
以下、本発明の実施の形態について図面を参照して詳細に説明する。
（実施の形態１）
図１、図２において、１は、薬剤注入装置を構成する本体ケースを示し、この本体ケース１の前面側には表示部２が設けられ、この表示部２の側方には、エアー抜きボタン３、完了ボタン４が設けられている。
【００１６】
また、表示部２の右方側で、本体ケース１の後端側には電源ボタン５が設けられ、さらに表示部２の左方側で、本体ケース１の前端側には薬剤注入ボタン６が設けられている。
【００１７】
また、本体ケース１の前端側には先端キャップ７が着脱自在に装着されている。先端キャップ７は、その前面側に確認窓８、その前端側には開口部９がそれぞれ設けられている。
【００１８】
この図１において、確認窓８から見える先端キャップ７内の部分には、シリンジユニットを構成するホルダ１０が装着されている。また、１１はホルダ１０の前端側に装着される注射針１２を保護する針キャップである。
【００１９】
つまり、図１の状態から、先端キャップ７を本体ケース１から取り外し、その状態で、ホルダ１０の後端側を本体ケース１の装着部１３に装着し、また、針キャップ１１をホルダ１０の先端側に装着し、その後、先端キャップ７を本体ケース１に取り付ける。
【００２０】
この状態においては、図３に示す如く、シリンジユニットを構成するホルダ１０は、本体ケース１内に設けたインナーケースの装着部１３内に装着された状態となっている。
【００２１】
そして、この状態においては、ピストン１４がホルダ１０内に挿入され、それによって、ホルダ１０内の製剤が注射針１２を介して、人体等に注入されるようになっている。
【００２２】
なお、ピストン固定部２９は、シリンジユニットに対して位置が固定されている。
【００２３】
この時、ピストン１４を、注射針１２側に押し込むのは、モータ１５によって駆動されるようになっている。
【００２４】
本実施形態のおける特徴は、前記シリンジユニットを図４から図１０に示す構成としたことである。
【００２５】
すなわち、前記ホルダ１０は、先端側に注射針装着部側のホルダ先端側開口部１６、後端側にピストン挿入側のホルダ後端側開口部１７を有する円筒状となっている。
【００２６】
また、このホルダ１０内には、円筒状の製剤シリンジ２１が収納されている。
【００２７】
この製剤シリンジ２１は、その先端側に、前記ホルダ先端側開口部１６の内方に設けた先端側当接部１８に当接される位置決部１９、後端側に、ピストン１４が挿入されるシリンジ開口部２０を有する。
【００２８】
また、前記ホルダ１０のホルダ後端側開口部１７内方にはストッパー２２が装着されている。
【００２９】
前記ストッパー２２は、前記製剤シリンジ２１のシリンジ開口部２０に対応する部分に、ピストン挿入開口部２３を有し、このピストン挿入開口部２３の外周縁には、前記ホルダ１０のホルダ後端側開口部１７内に、挿入される係合爪２４を設け、この係合爪２４の外周方向に対応する前記ホルダ１０部分には、この係合爪２４が係合する係合開口部２５を設けている。
【００３０】
すなわち、本実施形態においては、製剤シリンジ２１は、ホルダ１０内に装着された状態で、保管・携帯・薬剤注入装置への装着が行なわれるようになっている。
【００３１】
また、製剤シリンジ２１の先端側は、ホルダ先端側開口部１６の内方に設けた先端側当接部１８に当接される位置決部１９、後端側には、ピストン１４が挿入されるシリンジ開口部２０を有する構成となっている。
【００３２】
さらに、ホルダ後端側開口部１７内方にはストッパー２２が装着され、このストッパー２２は、製剤シリンジ２１のシリンジ開口部２０に対応する部分に、ピストン挿入開口部２３を有し、このピストン挿入開口部２３の外周縁には、ホルダ１０のホルダ後端側開口部１７内に、挿入される係合爪２４を設け、この係合爪２４の外周方向に対応するホルダ１０部分には、この係合爪２４が係合する係合開口部２５を設けた構成となっている。
【００３３】
このため、製剤シリンジは、常時、ホルダ１０内に装着された状態となっており、この結果として、保管・携帯・薬剤注入装置への装着時等に、誤って、それを落下させたとしても、製剤シリンジの損傷を防止することができるのである。
【００３４】
以下各部の構成について、さらに詳細に説明する。
【００３５】
前記ホルダ１０内において、製剤シリンジ２１の先端側は、段部による先端側当接部１８において、ホルダ先端側に、この製剤シリンジ２１の先端側外周面の少なくとも一部において、ホルダ１０の内周面との間に隙間を介して保持された構造となっている。
【００３６】
また、前記製剤シリンジ２１の後端側外周面の少なくとも一部において、ストッパー２２の内周面との間に隙間を介して保持された構造となっている。
【００３７】
つまり、製剤シリンジ２１は、ホルダ１０内において、先端側も後端側も若干の隙間を介して保持された状態となっているので、落下等によりホルダ１０に加わる衝撃が直接的に製剤シリンジ２１に加わることはなく、この点からも、衝撃に対する強度の強いものとなる。
【００３８】
次に、前記ストッパー２２のピストン挿入開口部２３の径は、前記製剤シリンジ２１のシリンジ開口部２０の径と同等もしくは、シリンジ開口部２０の径より小径としているので、上述の如く、ホルダ１０と製剤シリンジ２１の軸心が合っていない状態（上記わずかな隙間を設けた保持による結果）でも、前記ストッパー２２のピストン挿入開口部２３を通過したピストン１４は確実に製剤シリンジ２１のシリンジ開口部２０へと導かれることになる。
【００３９】
また、前記ストッパー２２を合成樹脂で形成すると共に、このストッパー２２は、前記ピストン１４よりも軟質としているので、ピストン１４がストッパー２２のピストン挿入開口部２３を通過する時に、このピストン１４が磨耗することもない。
【００４０】
もちろん、ピストン１４がストッパー２２のピストン挿入開口部２３を通過する時には、ストッパー２２の軟性およびピストン１４をガイドするテーパ形状もしくはＲ形状を設ける事により、スムーズに通過することが出来るようになっている。また、ピストン１４の先端部にもテーパ形状もしくはＲ形状を設け、よりスムーズに通過することが出来るようになっている。
【００４１】
次に、前記ストッパー２２のピストン挿入開口部２３の外周縁には、図８から図１０に示すように、４本（複数）の係合爪２４が９０度の所定間隔で設けられており、これにより、ストッパー２２は、ホルダ１０のホルダ後端側開口部１７内周に、バランスよく、且つ、強固に装着された状態となる。
【００４２】
また、前記係合爪２４間には、当接爪２６を設け、この当接爪２６の内周部分には、製剤シリンジ２１の外周面に向けて突出する突起２７を設けているので、このストッパー２２による製剤シリンジ２１の後端側の支持がバランスよく、且つ、強固に支持された状態となる。
【００４３】
また本実施形態においては、ホルダ１０内に製剤シリンジ２１が挿入され、続いてホルダ１０のホルダ後端側開口部１７から、ストッパー２２を挿入し、その係合爪２４を、ホルダ１０の係合開口部２５に係合させた状態、つまり図４の状態において、図５に示すラベル２８を、ホルダ１０の外周に等間隔で設けた４つの係合開口部２５を覆う如く貼り付けることとなる。
【００４４】
このラベル２８は、製剤シリンジ２１の種類や有効期限などを記載したものであり、このラベル２８によって、上述した係合開口部２５を覆えば、係合開口部２５から係合爪２４を押し込んで外すことは出来ず、その結果として、ホルダ１０内から製剤シリンジ２１を取り出したり、その後、別の製剤シリンジ２１を挿入したりすることも防止できるものである。
【００４５】
つまり、本実施形態におけるシリンジユニットは、製剤シリンジ２１とホルダ１０が、ストッパー２２を利用して、一体化されているものであり、これは、図１に示す専用の薬剤注入装置にのみ装着することが可能となっている。
【産業上の利用可能性】
【００４６】
以上のように、本発明のシリンジユニットは、製剤シリンジは、ホルダ内に装着された状態で、保管・携帯・薬剤注入装置への装着が行なわれるようになっている。
【００４７】
また、製剤シリンジの先端側は、ホルダ先端側開口部の内方に設けた先端側当接部に当接される位置決部、後端側には、ピストンが挿入されるシリンジ開口部を有する構成となっている。
【００４８】
さらに、ホルダ後端側開口部内方にはストッパーが装着され、このストッパーは、製剤シリンジのシリンジ開口部に対応する部分に、ピストン挿入開口部を有し、このピストン挿入開口部の外周縁には、ホルダのホルダ後端側開口部内に、挿入される係合爪を設け、この係合爪の外周方向に対応するホルダ部分には、この係合爪が係合する係合開口部を設けた構成となっている。
【００４９】
このため、製剤シリンジは、常時、ホルダ内に装着された状態となっており、この結果として、保管・携帯・薬剤注入装置への装着時等に、誤って、それを落下させたとしても、製剤シリンジの損傷を防止することができるのである。
【００５０】
したがって、各種製剤シリンジを用いたシリンジユニット及びそれを装着する薬剤注入装置としての活用が期待されるものである。
【符号の説明】
【００５１】
１  本体ケース
２  表示部
３  エアー抜きボタン
４  完了ボタン
５  電源ボタン
６  薬剤注入ボタン
７  先端キャップ
８  確認窓
９  開口部
１０  ホルダ
１１  針キャップ
１２  注射針
１３  装着部
１４  ピストン
１５  モータ
１６  ホルダ先端側開口部
１７  ホルダ後端側開口部
１８  先端側当接部
１９  位置決部
２０  シリンジ開口部
２１  製剤シリンジ
２２  ストッパー
２３  ピストン挿入開口部
２４  係合爪
２５  係合開口部
２６  当接爪
２７  突起
２８  ラベル
２９  ピストン固定部
【図１】
2015226555.tif 000003
【図２】
2015226555.tif 000004
【図３】
2015226555.tif 000005
【図４】
2015226555.tif 000006
【図５】
2015226555.tif 000007
【図６】
2015226555.tif 000008
【図７】
2015226555.tif 000009
【図８】
2015226555.tif 000010
【図９】
2015226555.tif 000011
【図１０】
2015226555.tif 000012